(57)【要約】  ＭＢＭＳデータのＰＴＭ配信をサポートする一般セルと、前記ＭＢＭＳデータのＰＴＭ配信をサポートしない特定セルと、を含む移動通信システムにおけるユーザ端末は、アイドル状態で前記一般セルを待ち受けセルとして選択している際に、前記一般セルから、前記ユーザ端末と前記一般セルとの接続を確立するための接続確立メッセージを受信する。また、前記ユーザ端末は、前記一般セルからの前記接続確立メッセージに応じて、前記接続の確立が完了したことを示す確立完了メッセージを送信する。ここで、前記ユーザ端末は、前記ユーザ端末の近傍に前記特定セルが存在していれば、その旨の近傍通知を前記確立完了メッセージと共に前記一般セルに送信する。
2013111888.tif 000002
【特許請求の範囲】
【請求項１】
ＭＢＭＳデータのＰＴＭ配信をサポートする一般セルと、前記ＭＢＭＳデータのＰＴＭ配信をサポートしない特定セルと、を含む移動通信システムにおける通信制御方法であって、
アイドル状態で前記一般セルを待ち受けセルとして選択しているユーザ端末が、前記一般セルとの接続の確立を要求する際に、接続確立要求メッセージを前記一般セルに送信するステップＡと、
前記一般セルが、前記ユーザ端末からの前記接続確立要求メッセージに応じて、前記接続を確立するための接続確立メッセージを前記ユーザ端末に送信するステップＢと、
前記ユーザ端末が、前記一般セルからの前記接続確立メッセージに応じて、前記接続の確立が完了したことを示す確立完了メッセージを送信するステップＣと、を有し、
前記ステップＢにおいて、前記一般セルは、前記接続確立メッセージと共に通知要求情報を前記ユーザ端末に送信し、
前記通知要求情報は、前記ユーザ端末の近傍に前記特定セルが存在していれば、その旨の近傍通知を送信するよう要求する情報であり、
前記ステップＣにおいて、前記ユーザ端末は、前記ユーザ端末の近傍に前記特定セルが存在していれば、前記確立完了メッセージと共に前記近傍通知を前記一般セルに送信することを特徴とする通信制御方法。
【請求項２】
前記一般セルが、前記ユーザ端末からの前記近傍通知を受信した場合に、前記特定セルに対する測定を指示する測定指示を前記ユーザ端末に送信するステップＤと、
前記ユーザ端末が、前記一般セルからの前記測定指示に応じて、前記特定セルに対する測定を行った後、当該測定の結果を報告するための測定報告を前記一般セルに送信するステップＥと、
前記一般セルを管理する一般基地局が、前記ユーザ端末からの前記測定報告に基づいて、前記一般セルから前記特定セルへのハンドオーバを行うか否かを判断するステップＦと、
をさらに有することを特徴とする請求項１に記載の通信制御方法。
【請求項３】
前記ステップＡよりも前に、前記ユーザ端末から前記一般セルへのランダムアクセス手順を行うステップをさらに有し、
前記ステップＦにおいて、前記一般基地局は、前記ユーザ端末からの前記測定報告に加えて、前記ランダムアクセス手順において推測される前記ユーザ端末の上りリンクデータ量に基づいて、前記一般セルから前記特定セルへの前記ユーザ端末のハンドオーバを行うか否かを判断することを特徴とする請求項２に記載の通信制御方法。
【請求項４】
前記特定セルは、前記一般セルの周波数と異なる周波数で運用されるＣＳＧセルであることを特徴とする請求項１に記載の通信制御方法。
【請求項５】
ＭＢＭＳデータのＰＴＭ配信をサポートする一般セルと、前記ＭＢＭＳデータのＰＴＭ配信をサポートしない特定セルと、を含む移動通信システムにおいて、前記一般セルを管理する基地局であって、
アイドル状態で前記一般セルを待ち受けセルとして選択しているユーザ端末から、前記一般セルとの接続の確立を要求する際に、接続確立要求メッセージを受信する受信部と、
前記ユーザ端末からの前記接続確立要求メッセージに応じて、前記接続を確立するための接続確立メッセージを前記ユーザ端末に送信する送信部と、を有し、
前記送信部は、前記接続確立メッセージと共に通知要求情報を前記ユーザ端末に送信し、
前記通知要求情報は、前記ユーザ端末の近傍に前記特定セルが存在していれば、その旨の近傍通知を送信するよう要求する情報であることを特徴とする基地局。
【請求項６】
ＭＢＭＳデータのＰＴＭ配信をサポートする一般セルと、前記ＭＢＭＳデータのＰＴＭ配信をサポートしない特定セルと、を含む移動通信システムにおけるユーザ端末であって、
アイドル状態で前記一般セルを待ち受けセルとして選択している際に、前記一般セルから、前記ユーザ端末と前記一般セルとの接続を確立するための接続確立メッセージを受信する受信部と、
前記一般セルからの前記接続確立メッセージに応じて、前記接続の確立が完了したことを示す確立完了メッセージを送信する送信部と、を有し、
前記送信部は、前記ユーザ端末の近傍に前記特定セルが存在していれば、その旨の近傍通知を前記確立完了メッセージと共に前記一般セルに送信することを特徴とするユーザ端末。
【発明の詳細な説明】
【技術分野】
【０００１】
本発明は、ＭＢＭＳデータのＰＴＭ配信をサポートする一般セルと、ＭＢＭＳデータのＰＴＭ配信をサポートしない特定セルと、を含む移動通信システムにおける通信制御方法、基地局、及びユーザ端末に関する。
【背景技術】
【０００２】
移動通信システムの標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）では、ＭＢＭＳ（Ｍｕｌｔｉｍｅｄｉａ  Ｂｒｏａｄｃａｓｔ  Ｍｕｌｔｉｃａｓｔ  Ｓｅｒｖｉｃｅ）を高度化したｅＭＢＭＳ（ｅｖｏｌｖｅｄ  ＭＢＭＳ）の標準化が進められている（例えば、非特許文献１参照）。【０００３】
このような移動通信システムにおいて、一般セル（例えば、マクロセル）は、ＭＢＭＳをサポートしており、ＭＢＭＳデータをマルチキャスト（Ｐｏｉｎｔ−Ｔｏ−Ｍｕｌｔｉｐｏｉｎｔ：ＰＴＭ）で配信できる。【０００４】
これに対し、ＭＢＭＳをサポートしていない特定セル（例えば、ＣＳＧセル）は、ＭＢＭＳデータをＰＴＭで配信できない。よって、特定セルとの接続を確立したユーザ端末に対しては、ＭＢＭＳデータをユニキャスト（Ｐｏｉｎｔ−Ｔｏ−Ｐｏｉｎｔ：ＰＴＰ）で配信することが検討されている。【０００５】
なお、「セル」は、無線通信エリアの最小単位を示す用語として使用される他に、ユーザ端末と無線通信を行う機能を示す用語としても使用される。
【先行技術文献】
【非特許文献】
【０００６】
【非特許文献１】３ＧＰＰ寄書  ＲＰ−１１１３７４， ２０１１年９月
【発明の概要】
【０００７】
一般セル内に、当該一般セルとは異なる周波数で運用される特定セルが設けられる通信環境において、当該一般セルと当該特定セルとの重複部分に位置するユーザ端末が、当該一般セルからＰＴＭで配信されるＭＢＭＳデータをアイドル状態で受信している状況を想定する。
【０００８】
このような状況下で、ユーザ端末が送信すべき上りリンクデータが発生した場合、当該ユーザ端末は、待ち受けセル（Ｓｅｒｖｉｎｇ  Ｃｅｌｌ）として選択している一般セルとの接続を確立することが通常である。
【０００９】
しかしながら、例えば一般セルの負荷レベルが高いような場合には、ユーザ端末が当該一般セルとの接続を確立した後において、当該ユーザ端末が受けるサービスの品質が低いという問題がある。
【００１０】
そこで、本発明は、サービス品質の低下を抑制できる通信制御方法、基地局、及びユーザ端末を提供することを目的とする。
【００１１】
本発明に係る通信制御方法は、ＭＢＭＳデータのＰＴＭ配信をサポートする一般セル（例えば、マクロセル）と、前記ＭＢＭＳデータのＰＴＭ配信をサポートしない特定セル（例えば、ＣＳＧセル）と、を含む移動通信システムにおける通信制御方法であって、アイドル状態で前記一般セルを待ち受けセルとして選択しているユーザ端末（ＵＥ）が、前記一般セルとの接続（例えば、ＲＲＣコネクション）の確立を要求する際に、接続確立要求メッセージ（例えば、ＲＲＣコネクション要求メッセージ）を前記一般セルに送信するステップＡと、前記一般セルが、前記ユーザ端末からの前記接続確立要求メッセージに応じて、前記接続を確立するための接続確立メッセージ（例えば、ＲＲＣコネクション・セットアップメッセージ）を前記ユーザ端末に送信するステップＢと、前記ユーザ端末が、前記一般セルからの前記接続確立メッセージに応じて、前記接続の確立が完了したことを示す確立完了メッセージ（例えば、ＲＲＣコネクション・セットアップ完了メッセージ）を送信するステップＣと、を有し、前記ステップＢにおいて、前記一般セルは、前記接続確立メッセージと共に通知要求情報（例えば、Ｐｒｏｘｉｍｉｔｙ情報要求）を前記ユーザ端末に送信し、前記通知要求情報は、前記ユーザ端末の近傍に前記特定セルが存在していれば、その旨の近傍通知（例えば、Ｐｒｏｘｉｍｉｔｙ情報）を送信するよう要求する情報であり、前記ステップＣにおいて、前記ユーザ端末は、前記ユーザ端末の近傍に前記特定セルが存在していれば、前記確立完了メッセージと共に前記近傍通知を前記一般セルに送信することを特徴とする。
【００１２】
上述した通信制御方法は、前記一般セルが、前記ユーザ端末からの前記近傍通知を受信した場合に、前記特定セルに対する測定を指示する測定指示（例えば、ＣＳＧ測定ｃｏｎｆｉｇｕｒａｔｉｏｎ）を前記ユーザ端末に送信するステップＤと、前記ユーザ端末が、前記一般セルからの前記測定指示に応じて、前記特定セルに対する測定を行った後、当該測定の結果を報告するための測定報告を前記一般セルに送信するステップＥと、前記一般セルを管理する一般基地局（例えば、ｅＮＢ）が、前記ユーザ端末からの前記測定報告に基づいて、前記一般セルから前記特定セルへのハンドオーバを行うか否かを判断するステップＦと、をさらに有してもよい。
【００１３】
上述した通信制御方法は、前記ステップＡよりも前に、前記ユーザ端末から前記一般セルへのランダムアクセス手順を行うステップをさらに有し、前記ステップＦにおいて、前記一般基地局は、前記ユーザ端末からの前記測定報告に加えて、前記ランダムアクセス手順において推測される前記ユーザ端末の上りリンクデータ量に基づいて、前記一般セルから前記特定セルへのハンドオーバを行うか否かを判断してもよい。
【００１４】
上述した通信制御方法において、前記特定セルは、前記一般セルの周波数と異なる周波数で運用されるＣＳＧセルであってもよい。
【００１５】
本発明に係る基地局は、ＭＢＭＳデータのＰＴＭ配信をサポートする一般セルと、前記ＭＢＭＳデータのＰＴＭ配信をサポートしない特定セルと、を含む移動通信システムにおいて、前記一般セルを管理する基地局であって、アイドル状態で前記一般セルを待ち受けセルとして選択しているユーザ端末から、前記一般セルとの接続の確立を要求する際に、接続確立要求メッセージを受信する受信部（例えば、無線送受信部１１０及び制御部１４０）と、前記ユーザ端末からの前記接続確立要求メッセージに応じて、前記接続を確立するための接続確立メッセージを前記ユーザ端末に送信する送信部（例えば、無線送受信部１１０及び制御部１４０）と、を有し、前記送信部は、前記接続確立メッセージと共に通知要求情報を前記ユーザ端末に送信し、前記通知要求情報は、前記ユーザ端末の近傍に前記特定セルが存在していれば、その旨の近傍通知を送信するよう要求する情報であることを特徴とする。
【００１６】
本発明に係るユーザ端末は、ＭＢＭＳデータのＰＴＭ配信をサポートする一般セルと、前記ＭＢＭＳデータのＰＴＭ配信をサポートしない特定セルと、を含む移動通信システムにおけるユーザ端末であって、アイドル状態で前記一般セルを待ち受けセルとして選択している際に、前記一般セルから、前記ユーザ端末と前記一般セルとの接続を確立するための接続確立メッセージを受信する受信部（例えば、無線送受信部２１０及び制御部２４０）と、前記一般セルからの前記接続確立メッセージに応じて、前記接続の確立が完了したことを示す確立完了メッセージを送信する送信部（例えば、無線送受信部２１０及び制御部２４０）と、を有し、前記送信部は、前記ユーザ端末の近傍に前記特定セルが存在していれば、その旨の近傍通知を前記確立完了メッセージと共に前記一般セルに送信することを特徴とする。
【図面の簡単な説明】
【００１７】
【図１】本発明の実施形態に係るＬＴＥシステムの構成を示す。
【図２】本発明の実施形態に係るＬＴＥシステムの無線インターフェイスのプロトコルスタックを示す。
【図３】本発明の実施形態に係るＬＴＥシステムで使用される無線フレームの構成を示す。
【図４】本発明の実施形態に係るｅＭＢＭＳ基盤の論理構成を示す。
【図５】本発明の実施形態に係る論理チャネルとトランスポートチャネルと物理チャネルとのマッピングを示す。
【図６】本発明の実施形態に係るｅＮＢのブロック図である。
【図７】本発明の実施形態に係るＵＥのブロック図である。
【図８】本発明の実施形態に係るｅＮＢ及びＵＥの動作環境を示す。
【図９】本発明の実施形態に係るｅＮＢ及びＵＥの動作を示すシーケンス図である。
【図１０】本発明の実施形態に係るハンドオーバ手順の具体例を示すシーケンス図である。
【発明を実施するための形態】
【００１８】
［実施形態の概要］
ＭＢＭＳデータのＰＴＭ配信をサポートする一般セル（例えば、マクロセル）と、前記ＭＢＭＳデータのＰＴＭ配信をサポートしない特定セル（例えば、ＣＳＧセル）と、を含む移動通信システムにおける通信制御方法は、アイドル状態で前記一般セルを待ち受けセルとして選択しているユーザ端末（ＵＥ）が、前記一般セルとの接続（例えば、ＲＲＣコネクション）の確立を要求する際に、接続確立要求メッセージ（例えば、ＲＲＣコネクション要求メッセージ）を前記一般セルに送信するステップＡと、前記一般セルが、前記ユーザ端末からの前記接続確立要求メッセージに応じて、前記接続を確立するための接続確立メッセージ（例えば、ＲＲＣコネクション・セットアップメッセージ）を前記ユーザ端末に送信するステップＢと、前記ユーザ端末が、前記一般セルからの前記接続確立メッセージに応じて、前記接続の確立が完了したことを示す確立完了メッセージ（例えば、ＲＲＣコネクション・セットアップ完了メッセージ）を送信するステップＣと、を有する。
【００１９】
前記ステップＢにおいて、前記一般セルは、前記接続確立メッセージと共に通知要求情報（例えば、Ｐｒｏｘｉｍｉｔｙ情報要求）を前記ユーザ端末に送信する。前記通知要求情報は、前記ユーザ端末の近傍に前記特定セルが存在していれば、その旨の近傍通知（例えば、Ｐｒｏｘｉｍｉｔｙ情報）を送信するよう要求する情報である。前記ステップＣにおいて、前記ユーザ端末は、前記ユーザ端末の近傍に前記特定セルが存在していれば、前記確立完了メッセージと共に前記近傍通知を前記一般セルに送信する。
【００２０】
これにより、ユーザ端末と一般セルとの間の接続を確立するための接続確立手順において、一般セルは、ユーザ端末の近傍に特定セルが存在するか否かを把握することができる。したがって、ユーザ端末の近傍に特定セルが存在する場合において、例えば一般セルの負荷レベルが高いとき、一般セルは、ユーザ端末との接続を確立した直後に、ユーザ端末を特定セルに例えばハンドオーバすることができるため、ユーザ端末におけるサービス品質の低下を抑制できる。
【００２１】
［実施形態］
本実施形態においては、リリース１０以降の３ＧＰＰ規格（すなわち、ＬＴＥ  Ａｄｖａｎｃｅｄ）に基づいて構成される移動通信システム（以下、「ＬＴＥシステム」と称する）を例に説明する。
【００２２】
以下において、（１）ＬＴＥシステムの概要、（２）ＭＢＭＳの概要、（３）ｅＮＢ及びＵＥの構成、（４）ｅＮＢ及びＵＥの動作、（５）実施形態のまとめの順に説明する。
【００２３】
（１）ＬＴＥシステムの概要
図１は、ＬＴＥシステムの構成を示す。図１に示すように、ＬＴＥシステムは、Ｅ−ＵＴＲＡＮ（Ｅｖｏｌｖｅｄ−ＵＭＴＳ  Ｔｅｒｒｅｓｔｒｉａｌ  Ｒａｄｉｏ  Ａｃｃｅｓｓ  Ｎｅｔｗｏｒｋ）と、ＵＥ（Ｕｓｅｒ  Ｅｑｕｉｐｍｅｎｔ）と、ＥＰＣ（Ｅｖｏｌｖｅｄ  Ｐａｃｋｅｔ  Ｃｏｒｅ）と、を有する。
【００２４】
Ｅ−ＵＴＲＡＮは、ｅＮＢ（ｅｖｏｌｖｅｄ  Ｎｏｄｅ−Ｂ）と、ＨｅＮＢ（Ｈｏｍｅ  ｅｖｏｌｖｅｄ  Ｎｏｄｅ−Ｂ）と、ＨｅＮＢ  ＧＷ（Ｈｏｍｅ  ｅｖｏｌｖｅｄ  Ｎｏｄｅ−Ｂ  Ｇａｔｅｗａｙ）と、を含む。
【００２５】
ｅＮＢは、マクロセルを管理しており、マクロセルとの接続を確立したＵＥとの無線通信を行う。
【００２６】
マクロセルは、ＭＢＭＳをサポートする。詳細には、マクロセルは、ＭＢＭＳデータをＰＴＭ（マルチキャスト）で配信することができる。本実施形態では、マクロセルは一般セルに相当し、ｅＮＢは一般基地局に相当する。
【００２７】
ＨｅＮＢは、マクロセルよりもカバー範囲が狭いセルであって、アクセス権を有するＵＥのみがアクセス可能なＣＳＧ（Ｃｌｏｓｅｄ  Ｓｕｂｓｃｒｉｂｅｒ  Ｇｒｏｕｐ）セルを管理する。ＨｅＮＢは、ＣＳＧセルとの接続を確立したＵＥとの無線通信を行う。
【００２８】
ＣＳＧセルは、ＭＢＭＳをサポートしない。詳細には、ＣＳＧセルは、ＭＢＭＳデータをＰＴＭで配信することができない。ただし、ＣＳＧセルは、ＭＢＭＳデータをＰＴＰ（ユニキャスト）で配信することはできる。本実施形態では、ＣＳＧセルは特定セルに相当し、ＨｅＮＢは特定基地局に相当する。
【００２９】
また、ｅＮＢ及びＨｅＮＢは、例えば、無線リソース管理（ＲＲＭ）機能と、ユーザデータのルーティング機能と、モビリティ制御及びスケジューリングのための測定制御機能と、を有する。
【００３０】
ＨｅＮＢ  ＧＷは、複数のＨｅＮＢが接続されており、複数のＨｅＮＢを管理する。
【００３１】
ＥＰＣは、ＭＭＥ（Ｍｏｂｉｌｉｔｙ  Ｍａｎａｇｅｍｅｎｔ  Ｅｎｔｉｔｙ）と、Ｓ−ＧＷ（Ｓｅｒｖｉｎｇ−Ｇａｔｅｗａｙ）と、を含む。ＭＭＥは、ＵＥに対する各種モビリティ制御等を行うネットワークエンティティであり、制御局に相当する。Ｓ−ＧＷは、ユーザデータの転送制御を行うネットワークエンティティであり、交換局に相当する。
【００３２】
ｅＮＢ（及びＨｅＮＢ）は、Ｘ２インターフェイスを介して相互に連結される。また、ｅＮＢ（及びＨｅＮＢ）は、Ｓ１インターフェイスを介してＭＭＥ及びＳ−ＧＷ（及びＨｅＮＢ  ＧＷ）と連結される。Ｘ２インターフェイス及びＳ１インターフェイスは、ネットワークインターフェイスを構成する。
【００３３】
ＵＥは、移動型の無線通信装置であり、接続を確立したセル（サービングセルと称される）との無線通信を行う。本実施形態では、ＵＥはユーザ端末に相当する。
【００３４】
ＵＥは、待ち受け中の状態に相当するアイドル状態（ＲＲＣアイドル状態）において、待ち受けセルを選択し、選択したセルに対する待ち受けを行う。ＲＲＣアイドル状態において待ち受けセルを変更する処理は、セル再選択と称される。
【００３５】
また、ＵＥは、通信中の状態に相当するコネクティッド状態（ＲＲＣコネクティッド状態）において、サービングセルとの無線通信を行う。ＲＲＣコネクティッド状態においてサービングセルを変更する処理は、ハンドオーバと称される。
【００３６】
ＵＥは、ＭＢＭＳをサポートする。詳細には、ＵＥは、ＲＲＣアイドル状態又はＲＲＣコネクティッド状態において、ｅＮＢからＰＴＭで配信されるＭＢＭＳデータを受信することができる。
【００３７】
図２は、ＬＴＥシステムの無線インターフェイスのプロトコルスタックを示す。
【００３８】
図２に示すように、無線インターフェイスプロトコルは、ＯＳＩ参照モデルのレイヤ１〜レイヤ３に区分されており、レイヤ１は物理（ＰＨＹ）レイヤである。レイヤ２は、ＭＡＣ（Ｍｅｄｉａ  Ａｃｃｅｓｓ  Ｃｏｎｔｒｏｌ）レイヤと、ＲＬＣ（Ｒａｄｉｏ  Ｌｉｎｋ  Ｃｏｎｔｒｏｌ）レイヤと、ＰＤＣＰ（Ｐａｃｋｅｔ  Ｄａｔａ  Ｃｏｎｖｅｒｇｅｎｃｅ  Ｐｒｏｔｏｃｏｌ）レイヤと、を含む。レイヤ３は、ＲＲＣ（Ｒａｄｉｏ  Ｒｅｓｏｕｒｃｅ  Ｃｏｎｔｒｏｌ）レイヤを含む。
【００３９】
物理レイヤは、データ符号化・復号、変調・復調、アンテナマッピング・デマッピング、及びリソースマッピング・デマッピングを行う。物理レイヤは、物理チャネルを用いて上位レイヤに伝送サービスを提供する。ＵＥの物理レイヤとｅＮＢの物理レイヤとの間では、物理チャネルを介してデータが伝送される。物理レイヤは、トランスポートチャネルを介してＭＡＣレイヤと連結される。
【００４０】
ＭＡＣレイヤは、データの優先制御、及びハイブリッドＡＲＱ（ＨＡＲＱ）による再送処理などを行う。ＵＥのＭＡＣレイヤとｅＮＢのＭＡＣレイヤとの間では、トランスポートチャネルを介してデータが伝送される。ｅＮＢのＭＡＣレイヤは、上下リンクのトランスポートフォーマット及びリソースブロックを決定するＭＡＣスケジューラを含む。トランスポートフォーマットは、トランスポートブロックサイズ、変調・符号化方式（ＭＣＳ）、及びアンテナマッピングを含む。
【００４１】
ＲＬＣレイヤは、ＭＡＣレイヤ及び物理レイヤの機能を利用してデータを受信側のＲＬＣレイヤに伝送する。ＵＥのＲＬＣレイヤとｅＮＢのＲＬＣレイヤとの間では、論理チャネルを介してデータが伝送される。
【００４２】
ＰＤＣＰレイヤは、ヘッダ圧縮・伸張、及び暗号化・復号化を行う。
【００４３】
ＲＲＣレイヤは、制御プレーンでのみ定義される。ＵＥのＲＲＣレイヤとｅＮＢのＲＲＣレイヤとの間では、無線ベアラを介してデータが伝送される。ＲＲＣレイヤは、無線ベアラの確立、再確立及び解放に応じて、論理チャネル、トランスポートチャネル、及び物理チャネルを制御する。ＵＥのＲＲＣとｅＮＢのＲＲＣとの間にＲＲＣコネクションがある場合、ＵＥはＲＲＣコネクティッド状態であり、そうでない場合、ＵＥはＲＲＣアイドル状態である。
【００４４】
ＲＲＣレイヤの上位に位置するＮＡＳ(Ｎｏｎ−Ａｃｃｅｓｓ  Ｓｔｒａｔｕｍ)レイヤは、セッション管理及びモビリティ管理などを行う。
【００４５】
図３は、ＬＴＥシステムで使用される無線フレームの構成を示す。ＬＴＥシステムは、下りリンクにはＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ  Ａｃｃｅｓｓ）、上りリンクにはＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）を採用する。
【００４６】
図３に示すように、無線フレームは、時間方向に並ぶ１０個のサブフレームで構成され、各サブフレームは、時間方向に並ぶ２個のスロットで構成される。各サブフレームの長さは１ｍｓであり、各スロットの長さは０．５ｍｓである。各サブフレームは、周波数方向に複数個のリソースブロック（ＲＢ）を含み、時間方向に複数個のシンボルを含む。各シンボルの先頭には、サイクリックプレフィックス（ＣＰ）と呼ばれるガード区間が設けられる。
【００４７】
下りリンクにおいて、各サブフレームの先頭数シンボルの区間は、主に物理下りリンク制御チャネル（ＰＤＣＣＨ）として使用される制御領域である。また、各サブフレームの残りの区間は、主に物理下りリンク共有チャネル（ＰＤＳＣＨ）として使用されるデータ領域である。
【００４８】
上りリンクにおいて、各サブフレームにおける周波数方向の両端部は、主に物理上りリンク制御チャネル（ＰＵＣＣＨ）として使用される制御領域である。また、各サブフレームにおける周波数方向の中央部は、主に物理上りリンク共有チャネル（ＰＵＳＣＨ）として使用されるデータ領域である。
【００４９】
（２）ＭＢＭＳの概要
ＭＢＭＳは、同報型配信を実現するベアラサービスであり、ＭＢＭＳデータの受信を望む複数のＵＥに対して、共通のベアラで一斉にＭＢＭＳデータを配信する方式である。
【００５０】
ＬＴＥシステムでは、複数のｅＮＢがＭＢＳＦＮ（ＭＢＭＳ  Ｓｉｎｇｌｅ  Ｆｒｅｑｕｅｎｃｙ  Ｎｅｔｗｏｒｋ）を構成し、ＭＢＳＦＮ送信方式によりＭＢＭＳデータを配信することができる。ＭＢＳＦＮを構成するｅＮＢは、同一信号を一斉同期送信する。これにより、ＵＥは、各ｅＮＢから送信された信号をＲＦ（Ｒａｄｉｏ  Ｆｒｅｑｕｅｎｃｙ）合成できる。
【００５１】
図４は、ｅＭＢＭＳ基盤の論理構成を示す。図４に示すように、ＬＴＥシステムは、図１に示したネットワークエンティティに加えて、ＢＭＳＣ（Ｂｒｏａｄｃａｓｔ  Ｍｕｌｔｉｃａｓｔ  Ｓｅｒｖｉｃｅ  Ｃｅｎｔｅｒ）と、ＭＢＭＳ  ＧＷ（ＭＢＭＳ  Ｇａｔｅｗａｙ）と、ＭＣＥ（Ｍｕｌｔｉ−Ｃｅｌｌ  Ｍｕｌｔｉｃａｓｔ  Ｃｏｏｒｄｉｎａｔｉｏｎ  Ｅｎｔｉｔｙ）と、を有する。
【００５２】
ＢＭＳＣは、配信すべきＭＢＭＳデータを保持する。ＭＢＭＳ  ＧＷは、ＢＭＳＣが保持するＭＢＭＳデータをＩＰ（Ｉｎｔｅｒｎｅｔ  Ｐｒｏｔｏｃｏｌ）マルチキャストで各ｅＮＢに伝送する。ＭＣＥは、ＭＢＳＦＮを構成する各ｅＮＢに対して、ＭＢＭＳデータを同期させたり、ＭＢＭＳデータのための無線リソースを指定したりする。
【００５３】
図５は、下りリンクにおける、論理チャネルとトランスポートチャネルと物理チャネルとのマッピングを示す。図５に示すように、ＬＴＥシステムには、ＭＢＭＳ用の論理チャネルとして、ＭＴＣＨ（Ｍｕｌｔｉｃａｓｔ  Ｔｒａｆｆｉｃ  Ｃｈａｎｎｅｌ）と、ＭＣＣＨ（Ｍｕｌｔｉｃａｓｔ  Ｃｏｎｔｒｏｌ  Ｃｈａｎｎｅｌ）と、が規定される。また、ＭＢＭＳ用のトランスポートチャネルとして、ＭＣＨ（Ｍｕｌｔｉｃａｓｔ  Ｃｈａｎｎｅｌ）が規定される。
【００５４】
マクロセル（詳細には、マクロセルを管理するｅＮＢ）は、マルチキャストチャネル（ＭＴＣＨ及びＭＣＣＨ）を介して、ＭＢＭＳデータと、ＭＢＭＳデータ配信を制御するためのＭＢＭＳサービス情報と、をマルチキャスト配信する。
【００５５】
これに対して、ＣＳＧセル（詳細には、ＣＳＧセルを管理するＨｅＮＢ）は、ＭＴＣＨ及びＭＣＣＨを使用することができない。ただし、ＣＳＧセルは、自セルとのＲＲＣコネクションを確立したＵＥに対して、例えばＤＴＣＨ（Ｄｅｄｉｃａｔｅｄ  Ｔｒａｆｆｉｃ  Ｃｈａｎｎｅｌ）及びＤＣＣＨ（Ｄｅｄｉｃａｔｅｄ  Ｃｏｎｔｒｏｌ  Ｃｈａｎｎｅｌ）等のチャネルを介して、ＭＢＭＳデータをユニキャスト配信することは可能である。
【００５６】
なお、マクロセル及びＣＳＧセルは、報知チャネル（ＢＣＣＨ；Ｂｒｏａｄｃａｓｔ  Ｃｏｎｔｒｏｌ  Ｃｈａｎｎｅｌ）を介して報知情報をブロードキャストで送信する。報知情報は、例えば、ＭＩＢ（Ｍａｓｔｅｒ  Ｉｎｆｏｒｍａｔｉｏｎ  Ｂｌｏｃｋ）やＳＩＢ（Ｓｙｓｔｅｍ  Ｉｎｆｏｒｍａｔｉｏｎ  Ｂｌｏｃｋ）などの情報である。
【００５７】
（３）ｅＮＢ及びＵＥの構成
図６は、ｅＮＢのブロック図である。ＨｅＮＢは、ｅＮＢと同様のブロック構成を有するため、ここではｅＮＢ及びＨｅＮＢを代表してｅＮＢの構成を説明する。
【００５８】
図６に示すように、ｅＮＢは、アンテナ１０１と、無線送受信部１１０と、ネットワーク通信部１２０と、記憶部１３０と、制御部１４０と、を有する。
【００５９】
アンテナ１０１及び無線送受信部１１０は、無線信号の送受信に用いられる。ネットワーク通信部１２０は、Ｘ２インターフェイス上及びＳ１インターフェイス上で通信を行う。記憶部１３０は、制御部１４０による制御に使用される情報を記憶する。制御部１４０は、上述した各レイヤでの処理を行うと共に、後述する各種の制御を行う。
【００６０】
図７は、ＵＥのブロック図である。図７に示すように、ＵＥは、アンテナ２０１と、無線送受信部２１０と、ＧＰＳ（Ｇｌｏｂａｌ  Ｐｏｓｉｔｉｏｎｉｎｇ  Ｓｙｓｔｅｍ）受信部２２０と、記憶部２３０と、制御部２４０と、を有する。
【００６１】
アンテナ２０１及び無線送受信部２１０は、無線信号の送受信に用いられる。ＧＰＳ受信部２２０は、ＵＥの位置を示すＵＥ位置情報を得るために、ＧＰＳ信号を受信する。記憶部２３０は、制御部２４０による制御に使用される情報を記憶する。制御部２４０は、上述した各レイヤでの処理を行うと共に、後述する各種の制御を行う。また、制御部２４０は、ＧＰＳ受信部２２０の出力に基づいてＵＥ位置情報を取得する。ただし、ＵＥがＧＰＳ受信部２２０を有しない場合、無線送受信部２１０が受信する無線信号に基づいてＵＥ位置情報を取得してもよい。
【００６２】
また、記憶部２３０は、ＵＥがアクセス権を有するＧＳＧセルのリスト（詳細には、ＣＳＧ  ＩＤのリスト）であるホワイトリストを記憶する。また、記憶部２３０は、ＵＥがアクセス権を有するＧＳＧセルの位置を示すＧＳＧセル位置情報を記憶する。ＧＳＧセル位置情報は、ＵＥ位置情報と共に、ＵＥの近傍に当該ＵＥがアクセス権を有するＧＳＧセルが存在するかを判断するａｕｔｏｎｏｍｏｕｓ  ｓｅａｒｃｈ  ｐｒｏｃｅｄｕｒｅに使用される。
【００６３】
（４）ｅＮＢ及びＵＥの動作
図８は、本実施形態に係るｅＮＢ及びＵＥの動作環境を示す。
【００６４】
図８に示すように、マクロセル内に、当該マクロセルとは異なる周波数で運用されるＣＳＧセルが設けられており、当該マクロセルと当該ＣＳＧセルとの重複部分にＲＲＣアイドル状態のＵＥが位置している。ここで、ＵＥは、当該ＣＳＧセルのメンバーＵＥであり、当該ＣＳＧセルに対するアクセス権を有する。
【００６５】
このような場合、ＵＥは、通常であれば、例えばａｕｔｏｎｏｍｏｕｓ  ｓｅａｒｃｈ  ｐｒｏｃｅｄｕｒｅによってＣＳＧセルの近傍であることを検知し、ＣＳＧセルを待ち受けセルとして選択することになる。しかし、ＵＥは、ＭＢＭＳデータの受信を望んでおり、マクロセルからＰＴＭで配信されるＭＢＭＳデータを受信するためにマクロセルを待ち受けセルとして選択している。
【００６６】
このような状況下で、ＵＥが送信すべき上りリンクデータが所定量を超えた場合、当該ＵＥは、待ち受けセルとして選択しているマクロセルとのＲＲＣコネクションを確立することが通常である。しかし、例えばマクロセルの負荷レベルが高いような場合には、ＵＥが当該マクロセルとのＲＲＣコネクションを確立した後、当該ＵＥが受けるサービスの品質が低いものとなる。
【００６７】
ＵＥが、マクロセルとのＲＲＣコネクションを確立した後、マクロセルとの通信を開始した後において、ａｕｔｏｎｏｍｏｕｓ  ｓｅａｒｃｈ  ｐｒｏｃｅｄｕｒｅの結果に基づいて、アクセス権を有するＣＳＧセルが近傍にあることを示すＰｒｏｘｉｍｉｔｙ情報（Ｐｒｏｘｉｍｉｔｙ  ｉｎｄｉｃａｔｉｏｎ）をマクロセルに通知すれば、マクロセルは、当該ＵＥをＣＳＧセルにハンドオーバさせることができる。
【００６８】
アクセス権がＣＳＧメンバーに限定されるＣＳＧセルは、アクセス権がＣＳＧメンバーに限定されないマクロセルに比べて、負荷レベルが小さいことが一般的である。したがって、ＵＥは、ＣＳＧセルにハンドオーバした後において、高品質なサービスを受けることができる。
【００６９】
さらに、本実施形態では、ＵＥがマクロセルとのＲＲＣコネクションを確立する過程において、マクロセルが、アクセス権を有するＣＳＧセルがＵＥの近傍にあることを把握し、かつＵＥの潜在的な上りリンクデータ量を把握することで、当該ＲＲＣコネクションの確立直後に、ＵＥをＣＳＧセルにハンドオーバ可能とする。
【００７０】
以下において、本実施形態に係るｅＮＢ及びＵＥの動作を説明する。図９は、図８に示す動作環境におけるｅＮＢ及びＵＥの動作を示すシーケンス図である。
【００７１】
図９に示すように、ステップＳ１において、ＲＲＣアイドル状態のＵＥは、マクロセルを待ち受けセルとして選択しており、マクロセルからＰＴＭで配信されるＭＢＭＳデータを受信している。
【００７２】
ステップＳ２において、ＵＥは、送信すべき上りリンクデータが発生したことを検知し、待ち受けセルとして選択しているマクロセルとのＲＲＣコネクションを確立するための処理を開始する。
【００７３】
ステップＳ３において、ＵＥは、物理ランダムアクセスチャネル（ＰＲＡＣＨ）を介してランダムアクセス・プリアンブルを送信する。なお、マクロセルは、ランダムアクセス・プリアンブルの送信に使用可能な無線リソース（ＰＲＡＣＨリソース）の情報をブロードキャストで送信（例えばＳＩＢ２）しており、ＵＥは、当該ＰＲＡＣＨリソースを用いてランダムアクセス・プリアンブルを送信する。各セルは、複数個のプリアンブル系列を使用できる。当該複数個のプリアンブル系列は、プリアンブルセット＃１と、プリアンブルセット＃２と、その他のプリアンブルセットと、からなる。ＵＥは、上りリンクデータ量が多ければプリアンブルセット＃１を使用し、上りリンクデータ量が少なければプリアンブルセット＃２を使用する。なお、その他のプリアンブルセットは、コンテンションフリー・アクセス用のプリアンブルセットであり、例えばハンドオーバ時にソースセルから指定される。
【００７４】
ステップＳ４において、マクロセル（ｅＮＢ）は、ＵＥからランダムアクセス・プリアンブルを受信すると、当該ランダムアクセス・プリアンブルのプリアンブル系列がプリアンブルセット＃１又は＃２の何れであるかを検知し、ＵＥの上りリンクデータ量を判別（推定）する。そして、マクロセル（ｅＮＢ）は、判別した上りリンクデータ量を記憶する。
【００７５】
ステップＳ５において、マクロセル（ｅＮＢ）は、ＤＬ−ＳＣＨ（図５参照）を介して、ランダムアクセス・プリアンブルに対する応答であるランダムアクセス・レスポンスをＵＥに送信する。ランダムアクセス・レスポンスは、例えば、ＵＥとマクロセルとの間のタイミングを揃えるためのタイミング補正情報や、次回のＵＥのメッセージ送信に用いる無線リソースを示す情報などを含む。
【００７６】
上述したステップＳ３〜ステップＳ５は、ランダムアクセス手順を構成する。
【００７７】
ステップＳ６において、ＵＥは、マクロセル（ｅＮＢ）とのＲＲＣコネクションの確立を要求する際に、ＲＲＣレイヤで生成したＲＲＣコネクション要求メッセージをマクロセル（ｅＮＢ）に送信する。
【００７８】
ステップＳ７において、マクロセル（ｅＮＢ）は、ＵＥからのＲＲＣコネクション要求メッセージの受信に応じて、ＲＲＣコネクションを確立するためのＲＲＣコネクション・セットアップメッセージをＵＥに送信する。ここで、マクロセル（ｅＮＢ）は、ＲＲＣコネクション・セットアップメッセージと共にＰｒｏｘｉｍｉｔｙ情報要求をＵＥに送信する。Ｐｒｏｘｉｍｉｔｙ情報要求は、ＵＥの近傍にアクセス可能なＣＳＧセル（すなわち、ＵＥがアクセス権を有するＣＳＧセル）が存在していれば、その旨のＰｒｏｘｉｍｉｔｙ情報を送信するよう要求する情報である。なお、Ｐｒｏｘｉｍｉｔｙ情報要求は、ＲＲＣコネクション・セットアップメッセージの情報要素（ＩＥ）とすることが可能である。
【００７９】
ステップＳ８において、ＵＥは、マクロセル（ｅＮＢ）からのＲＲＣコネクション・セットアップメッセージの受信に応じて、ＲＲＣコネクションの確立が完了したことを示すＲＲＣコネクション・セットアップ完了メッセージをマクロセル（ｅＮＢ）に送信する。ここで、ＵＥは、Ｐｒｏｘｉｍｉｔｙ情報要求の受信に応じて、ａｕｔｏｎｏｍｏｕｓ  ｓｅａｒｃｈ  ｐｒｏｃｅｄｕｒｅにより近傍に当該ＵＥがアクセス権を有するＧＳＧセルが存在すると判断した場合には、ＲＲＣコネクション・セットアップ完了メッセージと共にＰｒｏｘｉｍｉｔｙ情報をマクロセルに送信する。なお、Ｐｒｏｘｉｍｉｔｙ情報は、ＲＲＣコネクション・セットアップ完了メッセージのＩＥとすれば、Ｐｒｏｘｉｍｉｔｙ情報を単独で送信する場合に比べて、オーバーヘッドを削減できる。
【００８０】
上述したステップＳ６〜ステップＳ８は、ＲＲＣコネクション確立手順を構成する。
【００８１】
ステップＳ９において、マクロセル（ｅＮＢ）は、ＵＥからのＰｒｏｘｉｍｉｔｙ情報の受信に応じて、ＣＳＧセルに対する測定を指示するＣＳＧ測定ｃｏｎｆｉｇｕｒａｔｉｏｎを含むＲＲＣコネクションＲｅｃｏｎｆｉｇｕｒａｔｉｏｎメッセージをＵＥに送信する。すなわち、ＣＳＧ測定ｃｏｎｆｉｇｕｒａｔｉｏｎは、Ｐｒｏｘｉｍｉｔｙ情報によって報告されたＣＳＧセルの品質の測定を指示する情報である。当該情報は、ＣＳＧセルの品質を測定するための測定ギャップを含む。
【００８２】
ステップＳ１０において、ＵＥは、ＲＲＣコネクションＲｅｃｏｎｆｉｇｕｒａｔｉｏｎメッセージに対する肯定応答であるＲＲＣコネクションＲｅｃｏｎｆｉｇｕｒａｔｉｏｎ完了メッセージをマクロセル（ｅＮＢ）に送信する。
【００８３】
また、ＵＥは、ステップＳ９でマクロセル（ｅＮＢ）から受信したＣＳＧ測定ｃｏｎｆｉｇｕｒａｔｉｏｎに応じて、ＣＳＧセルに対する品質測定を行う。
【００８４】
ステップＳ１１において、ＵＥは、当該測定の結果を報告するための測定報告をマクロセル（ｅＮＢ）に送信する。測定報告は、ＣＳＧセルを識別する物理識別子（ＰＣＩ；Ｐｈｙｓｉｃａｌ  Ｃｅｌｌ  Ｉｄｅｎｔｉｆｉｅｒ）を含む。
【００８５】
ステップＳ１２において、マクロセル（ｅＮＢ）は、報知情報（ＳＩ；Ｓｙｓｔｅｍ  Ｉｎｆｏｒｍａｔｉｏｎ）の取得を要求する情報（ＳＩ  request）をＵＥに送信する。
【００８６】
ステップＳ１３において、ＵＥは、ＣＳＧセル（ＨｅＮＢ）からブロードキャストされる報知情報（ＳＩ）を受信して取得する。報知情報（ＳＩ）は、ＣＧＩ（Ｃｅｌｌ  Ｇｌｏｂａｌ  Ｉｄｅｎｔｉｔｙ）、ＴＡＩ（Ｔｒａｃｋｉｎｇ  Ａｒｅａ  Ｉｄｅｎｔｉｔｙ）、ＣＳＧ  ＩＤなどを含む。
【００８７】
ステップＳ１４において、ＵＥは、ステップＳ１３で取得した報知情報（ＳＩ）と、特定セルに対するアクセス権を有するか（ＣＳＧメンバーであるか否か）を示す情報（Ｍｅｍｂｅｒ  Ｉｎｄｉｃａｔｉｏｎ）と、を含む測定報告をマクロセル（ｅＮＢ）に送信する。
【００８８】
ステップＳ１５において、マクロセル（ｅＮＢ）は、ステップＳ４で判別したＵＥの上りリンクデータ量と、ステップＳ１４でＵＥから受信した測定報告と、に基づいて、ＣＳＧセルへのＵＥのハンドオーバを行うか否かを判断する。
【００８９】
例えば、マクロセル（ｅＮＢ）は、自身の負荷レベルが高い場合で、ＵＥの上りリンクデータ量が多い場合で、かつＣＳＧセルに対する測定結果が良好である場合には、ＣＳＧセルへのＵＥのハンドオーバを行うと判断し、そうでなければ、ＣＳＧセルへのＵＥのハンドオーバを行わないと判断する。
【００９０】
以下の処理は、ＣＳＧセルへのＵＥのハンドオーバを行うと判断された場合に実行される。
【００９１】
ステップＳ１６において、マクロセル（ｅＮＢ）、ＣＳＧセル（ＨｅＮＢ）、及びＵＥは、マクロセル（ｅＮＢ）からＣＳＧセル（ＨｅＮＢ）へのハンドオーバ手順を行う。ハンドオーバ手順の具体例については後述する。
【００９２】
当該ハンドオーバ手順が完了した後、依然としてＵＥがＭＢＭＳデータの受信を望む場合には、ステップＳ１７において、ＣＳＧセル（ＨｅＮＢ）は、ＭＢＭＳデータをＰＴＰでＵＥに配信する。
【００９３】
次に、ハンドオーバ手順（ステップＳ１６）の具体例を説明する。図１０は、ハンドオーバ手順の具体例を示すシーケンス図である。
【００９４】
図１０に示すように、ステップＳ１５でＣＳＧセルへのハンドオーバを行うと判断した後、ステップＳ１６１において、マクロセル（ｅＮＢ）は、ＣＳＧセル（ＨｅＮＢ）へのハンドオーバを要求するハンドオーバ要求をＭＭＥに送信する。
【００９５】
ステップＳ１６２において、ＭＭＥは、ＣＳＧセル（ＨｅＮＢ）に対するＵＥのアクセスを許可するか否かを判断する。ここでは、ＣＳＧセル（ＨｅＮＢ）に対するＵＥのアクセスが許可されるものとして説明を続ける。
【００９６】
ステップＳ１６３及びステップＳ１６４において、ＭＭＥは、ＨｅＮＢ  ＧＷを介して、ＣＳＧセル（ＨｅＮＢ）へのハンドオーバを要求するハンドオーバ要求をＣＳＧセル（ＨｅＮＢ）に送信する。
【００９７】
ステップＳ１６５において、ＣＳＧセル（ＨｅＮＢ）は、ＵＥ１０に対する無線リソースを確保する。
【００９８】
ステップＳ１６６及びステップＳ１６７において、ＣＳＧセル（ＨｅＮＢ）は、ＨｅＮＢ  ＧＷを介して、ＭＭＥから受信したハンドオーバ要求に対する肯定応答をＭＭＥに送信する。
【００９９】
ステップＳ１６８及びステップＳ１６９において、ＭＭＥは、マクロセル（ｅＮＢ）を介して、ＣＳＧセル（ＨｅＮＢ）へのハンドオーバを指示するハンドオーバ指示をＵＥに送信する。
【０１００】
（５）実施形態のまとめ
以上説明したように、本実施形態に係る通信制御方法は、アイドル状態でマクロセルを待ち受けセルとして選択しているＵＥが、マクロセルとのＲＲＣコネクションの確立を要求する際に、ＲＲＣコネクション要求メッセージをマクロセルに送信するステップＳ６と、マクロセルが、ＵＥからのＲＲＣコネクション要求メッセージに応じて、ＲＲＣコネクションを確立するためのＲＲＣコネクション・セットアップメッセージをＵＥに送信するステップＳ７と、ＵＥが、マクロセルからのＲＲＣコネクション・セットアップメッセージに応じて、ＲＲＣコネクションの確立が完了したことを示すＲＲＣコネクション・セットアップ完了メッセージを送信するステップＳ８と、を有する。
【０１０１】
ステップＳ６において、マクロセルは、ＲＲＣコネクション・セットアップメッセージと共にＰｒｏｘｉｍｉｔｙ情報要求をＵＥに送信する。Ｐｒｏｘｉｍｉｔｙ情報要求は、ＵＥの近傍にアクセス可能なＣＳＧセルが存在していれば、その旨のＰｒｏｘｉｍｉｔｙ情報を送信するよう要求する情報である。ステップＳ８において、ＵＥは、ＵＥの近傍にアクセス可能なＣＳＧセルが存在していれば、ＲＲＣコネクション・セットアップ完了メッセージと共にＰｒｏｘｉｍｉｔｙ情報をマクロセルに送信する。
【０１０２】
このように、本実施形態によれば、ＲＲＣコネクション確立手順において、マクロセルを管理するｅＮＢは、ＵＥの近傍にアクセス可能なＣＳＧセルが存在するか否かを把握することができる。したがって、ＵＥの近傍にアクセス可能なＣＳＧセルが存在する場合において、マクロセルの負荷レベルが高いとき、マクロセルとＵＥとの間のＲＲＣコネクションを確立した直後にＵＥをＣＳＧセルにハンドオーバすることができるため、ＵＥにおけるサービス品質の低下を抑制できる。
【０１０３】
本実施形態に係る通信制御方法は、マクロセルが、ＵＥからのＰｒｏｘｉｍｉｔｙ情報を受信した場合に、ＣＳＧセルに対する測定を指示するＣＳＧ測定ｃｏｎｆｉｇｕｒａｔｉｏｎをＵＥに送信するステップ９と、ＵＥが、マクロセルからのＣＳＧ測定ｃｏｎｆｉｇｕｒａｔｉｏｎに応じて、ＣＳＧセルに対する測定を行った後、当該測定の結果を報告するための測定報告をマクロセルに送信するステップＳ１１と、マクロセルを管理するｅＮＢが、ＵＥからの測定報告に基づいて、マクロセルからＣＳＧセルへのハンドオーバを行うか否かを判断するステップ１２と、をさらに有する。
【０１０４】
このように、本実施形態によれば、ＲＲＣコネクション確立手順の完了直後に、ＣＳＧセルに対する測定及びその結果の報告を行うことができる。したがって、従来の手法と比べて、ＣＳＧセルへのハンドオーバの準備を早く開始することができる。
【０１０５】
本実施形態では、マクロセルを管理するｅＮＢは、ＵＥからの測定報告に加えて、ランダムアクセス手順において推測されるＵＥの上りリンクデータ量に基づいて、マクロセルからＣＳＧセルへのハンドオーバを行うか否かを判断する。
【０１０６】
例えば、マクロセルを管理するｅＮＢは、ＵＥの上りリンクデータ量の伝送を良好に行うだけの空き無線リソースが存在しない場合には、マクロセルからＣＳＧセルへのハンドオーバを行うと判断する。したがって、より確実にＵＥにおけるサービス品質の低下を抑制できる。
【０１０７】
本実施形態では、ＣＳＧセルを管理するＨｅＮＢは、ＵＥのハンドオーバ完了後に、ＭＢＭＳデータをＰＴＰ（ユニキャスト）でＵＥに配信する。
【０１０８】
これにより、ハンドオーバ前にマクロセルからのＭＢＭＳデータをＰＴＭで受信していたＵＥは、ハンドオーバ完了後においてもＭＢＭＳデータをＰＴＰで受信することができる。したがって、ＵＥに対するＭＢＭＳデータ配信の継続性を保証できる。
【０１０９】
［その他の実施形態］
この開示の一部をなす論述及び図面はこの発明を限定するものであると理解すべきではない。この開示から当業者には様々な代替実施形態、実施例及び運用技術が明らかとなる。
【０１１０】
例えば、上述した実施形態では、一般セルがマクロセルであり、特定セルがＣＳＧセルである一例を説明したが、一般セルはマクロセルよりも小型のピコセルなどであってもよい。また、特定セルはハイブリッドセルであってもよい。ハイブリッドセルは、ＣＳＧに属するＵＥからはＣＳＧセルとみなされ、ＣＳＧに属さないＵＥからはオープンなセルとみなされる。よって、ハイブリッドセルは、ＣＳＧセルの一種とみなすことができる。
【０１１１】
さらに、上述した実施形態では、ＬＴＥシステムを例に説明したが、ＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）などの他の通信規格に対して本発明を適用してもよい。
【０１１２】
なお、米国仮出願第６１／５９１４７９号（２０１２年１月２７日出願）の全内容が、参照により、本願明細書に組み込まれている。
【産業上の利用可能性】
【０１１３】
以上のように、本発明は、移動通信などの無線通信分野において有用である。
【図１】
2013111888.tif 000003
【図２】
2013111888.tif 000004
【図３】
2013111888.tif 000005
【図４】
2013111888.tif 000006
【図５】
2013111888.tif 000007
【図６】
2013111888.tif 000008
【図７】
2013111888.tif 000009
【図８】
2013111888.tif 000010
【図９】
2013111888.tif 000011
【図１０】
2013111888.tif 000012
【手続補正書】
【提出日】平成26年7月18日(2014.7.18)
【手続補正１】
【補正対象書類名】明細書
【補正対象項目名】００６２
【補正方法】変更
【補正の内容】
【００６２】
また、記憶部２３０は、ＵＥがアクセス権を有するＣＳＧセルのリスト（詳細には、ＣＳＧ  ＩＤのリスト）であるホワイトリストを記憶する。また、記憶部２３０は、ＵＥがアクセス権を有するＣＳＧセルの位置を示すＣＳＧセル位置情報を記憶する。ＣＳＧセル位置情報は、ＵＥ位置情報と共に、ＵＥの近傍に当該ＵＥがアクセス権を有するＣＳＧセルが存在するかを判断するａｕｔｏｎｏｍｏｕｓ  ｓｅａｒｃｈ  ｐｒｏｃｅｄｕｒｅに使用される。
【国際調査報告】
2013111888.tif 000013
2013111888.tif 000014
2013111888.tif 000015